(57)【特許請求の範囲】
【請求項１】
基盤と壁との隅に載置される際根太と、この際根太の長手方向に平行または直交する方向に設けられる複数の桟木と、これら桟木の下面と基盤との間で桟木の長手方向に一定間隔で設けられる弾性を有する脚とを備えた床下地構造であって、際根太は、この床下地構造の際根太および桟木の上に敷設される床板の下面と基盤の上面との間の隙間寸法に相当するとともに桟木の厚さと脚の高さの合計寸法に等しい高さを有する棒状部材であり、且つ、少なくとも一の際根太においては内側面に実および段部が設けられ、しかも該段部上方の切欠部の高さが桟木の厚さと略同一に形成されており、際根太の実に桟木の長手方向の一端に設けられる実を嵌合するとともに、桟木が段部上に載置されることにより桟木が際根太に連結一体化されることを特徴とする床下地構造。
【請求項２】
一側面の基盤と壁の隅に一本の際根太が載置されることを特徴とする請求項１記載の床下地構造。
【請求項３】
一側面の基盤と壁の隅に二本以上の際根太が間隔を置いて平行に載置されることを特徴とする請求項１記載の床下地構造。
【発明の詳細な説明】
【技術分野】
【０００１】
本発明は床下地構造に関する。本発明の床下地構造は、特に、木質系の戸建住宅の二階などの床下地、あるいは集合住宅の二階以上の床下地などに好適に適用され、床上で発生する生活騒音が階下に伝搬することを抑制する。本発明の床下地構造は、大引きの上に敷設された厚物合板（たとえば厚さ２４ｍｍ、２８ｍｍなどの合板）や、大引きとその上の根太の上に敷設された１２ｍｍ合板などの基盤の上に設けられる。
【背景技術】
【０００２】
下記特許文献１には、床基盤上に設けられた際根太の上に床板が敷設され、際根太と壁材との間に際根太固定用粘着シートが設けられてなる床下地構造が示されている。壁際から離れた床板は板状の制振ゴムと支持棒によって支えられている。
【特許文献１】特開２００２−３０９７５７号公報
【発明の開示】
【発明が解決しようとする課題】
【０００３】
上記従来の床下地構造は、床上を歩行したり、床上に物が落下したりすることによって発生する生活騒音が際根太から壁を介して階下に伝搬することを比較的良好に防止するが、床板から床基盤を介して階下に伝わる生活騒音に関してはその伝搬防止効果が不十分であり、さらなる改善策が要望されていた。
【０００４】
したがって、本発明が解決しようとする課題は、木造戸建て住宅の二階や木造集合住宅の二階以上の床下地構造において、生活騒音が階下に伝搬することを効果的に抑制すると共に、十分な強度を確保することである。
【課題を解決するための手段】
【０００５】
上記の課題を解決するため、請求項１に係る本発明は、基盤と壁との隅に載置される際根太と、この際根太の長手方向に平行または直交する方向に設けられる複数の桟木と、これら桟木の下面と基盤との間で桟木の長手方向に一定間隔で設けられる弾性を有する脚とを備えた床下地構造であって、際根太は、この床下地構造の際根太および桟木の上に敷設される床板の下面と基盤の上面との間の隙間寸法に相当するとともに桟木の厚さと脚の高さの合計寸法に等しい高さを有する棒状部材であり、且つ、少なくとも一の際根太においては内側面に実および段部が設けられ、しかも該段部上方の切欠部の高さが桟木の厚さと略同一に形成されており、際根太の実に桟木の長手方向の一端に設けられる実を嵌合するとともに、桟木が段部上に載置されることにより桟木が際根太に連結一体化されることを特徴とする。
【０００６】
請求項２に係る本発明は、請求項１記載の床下地構造において、一側面の基盤と壁の隅に一本の際根太が載置されることを特徴とする。
【０００７】
請求項３に係る本発明は、請求項１記載の床下地構造において、一側面の基盤と壁の隅に二本以上の際根太が間隔を置いて平行に載置されることを特徴とする。
【発明の効果】
【０００８】
請求項１に係る本発明の床下地構造によれば、際根太で支持される床板を除く大部分の床板は桟木および弾性を有する脚で支持される。この床上で歩行したり、床上に物が落下したりすることによって発生する生活騒音は、床板から桟木に伝達されるが、その多くは桟木の下に設けられる弾性を有する脚によって遮断され、階下への伝搬を抑制する。
【０００９】
少なくとも一の際根太の内側面には実が設けられ、これを桟木の長手方向の一端に設けられる実に嵌合するので、際根太に対して直交方向に設けられる複数の桟木を一体的に連結することができ、床下地構造としての強度が確保される。
【００１０】
請求項２に係る本発明の床下地構造では、一側面の基盤と壁の隅に一本の際根太が載置されるので、幅を取らず、施工面の略全体に弾性脚付きの桟木を施工して防音性能を高めることができる。また、施工箇所のサイズに合わせて切断加工することが容易であるので、狭い箇所や廊下などでの施工に適している。
【００１１】
請求項３に係る本発明の床下地構造では、一側面の基盤と壁の隅に二本以上の際根太が間隔を置いて平行に載置されるので、壁際に家具等の重量物を載置する場合、間隔を置いて平行に載置される棒状際根太でその重量を安定して支えることができる。また、床板のサイズや家具等の重量物の奥行に応じた間隔を自由に決定することができる。さらには、施工に際し、棒状際根太の間隔よりも短い床板を使用する箇所があっても、該床板の固定位置に合わせて間隔内に棒材を追加するなど、施工箇所に合わせた構成をとることができる。
【発明を実施するための最良の形態】
【００１２】
本発明の床下地構造は、基盤と壁との隅に載置される際根太と、この際根太の長手方向に平行または直交する方向に設けられる複数の桟木と、これら桟木の下面と基盤との間で桟木の長手方向に一定間隔で設けられる弾性を有する脚とを備えて構成される。際根太は一側面の基盤と壁の隅に一本または二本以上を平行に載置しても良く、このとき一本とは一連に連続した棒状の際根太であっても良いし、あるいは何本かに分断された状態で断続的に連なったものであっても良い。
【００１３】
際根太は、この床下地構造の際根太および桟木の上に敷設される床板の下面と基盤の上面との間の隙間寸法に相当する高さを有する棒状部材である。その断面形状は特に限定されないが、矩形または略矩形が好ましい。際根太は木質系であり、たとえばＬＶＬ、合板、ＭＤＦなどである。際根太の高さないし厚さＨ１（図５（ｂ）），Ｈ４（図１１（ｂ）），Ｈ６（図１２（ｂ））はたとえば４０〜６０ｍｍの範囲内において、本発明の床下地構造の下に設ける根太ないし大引きの高さ寸法と、この上に敷設される厚物合板の厚さ寸法とに応じて選定するが、一例としてＨ１＝Ｈ４＝Ｈ６＝５０ｍｍである。際根太の長さＬ１＝Ｌ３＝Ｌ４はたとえば１７００〜１９００ｍｍ、幅Ｄ１，Ｄ３，Ｄ４はたとえば３０〜１００ｍｍである。際根太に段部を設ける場合は、たとえばＨ７＝２０〜４０ｍｍの高さ位置に幅Ｄ５＝２０〜４０ｍｍで形成する。
【００１４】
少なくとも一の際根太（二本以上の際根太が間隔を置いて平行に載置される場合は、壁から最も離れて位置する際根太）の少なくとも内側面には実が設けられるが、その両側面に実が設けられていても良い。実の形状は、ほんざね、あいじゃくり、やといざねなどである。この実は、雄実または雌実として形成され、後述する桟木の長手方向一端に対応する形状を有するものとして設けられる雌実または雄実と嵌合する。なお、ここで実とは互いに嵌合し得る凹凸形状を広く包含する概念であり、必ずしも一方の凸部が他方の凹部に実質的に隙間なく嵌め込まれる形状に限らない。また、単一の部材の厚さ範囲内）に実が形成される場合（図３，図４）だけでなく、棒材の内側面に設けた段部とその上に配される板材との間に嵌合用の凹部が形成されるような形態（図１１，図１２（ｃ）・（ｄ））も含むものである。
【００１５】
際根太は基盤上に載置されるが、必ずしも際根太の下面が全面的に基盤に接触している必要はなく、たとえば際根太の下面に駒またはブロックを適宜ピッチで設けて該駒またはブロックで基盤上に支持されるものであっても良い。また、際根太の下面または駒ないしブロックの下面に板状またはシート状などの軟質シートを貼着または被着して防音性を高めることができる。
【００１６】
桟木は際根太の厚さよりも小さい厚さを有するものとし、たとえば際根太の厚さＨ１の二分の一程度の厚さを目安とする。桟木の材質は木質系であり、たとえばＬＶＬ、合板、無垢材などであるが、強度面からＬＶＬが好ましい。桟木の上面には床板が敷設されるので、桟木の上面は実質的に平坦であることが好ましい。桟木の下面も実質的に平坦であることが好ましく、該平坦な下面から脚が突設されている。
【００１７】
桟木の長手方向の一端には、際根太の内側面に形成される実と嵌合する実が設けられる。たとえば、桟木の長手方向一端に設けられる実が雄実である場合は、上記縦材の内側面の実はこの雄実に嵌合可能な形状の雌実として形成される。実の形状は、ほんさね、あいじゃくり、やとい実などである。桟木の長手方向の他端には、長手方向一端に設けられる実に嵌合可能な形状の実が形成されて、桟木同士を長手方向に連結可能とすることが好ましい。なお、実の概念については際根太の少なくとも内側面に形成される実について既述したと同様であり、互いに嵌合し得る凹凸形状を広く包含する概念である。
【００１８】
桟木の下面には上述のように脚が突設されるが、たとえば、桟木の下面に複数の穴を形成して、これらの穴に脚の上端突起部を挿入・固定することによって脚を突設することができる。脚の取付ピッチＰ２（図６）は床板の幅に一致または略一致させることが好ましく、たとえばＰ２＝３０３ｍｍである。脚は、たとえば合成ゴム、天然ゴム、合成樹脂などの弾性を有する材料から形成され、その硬さはデュロメータ硬さ（ＪＩＳ  Ｋ６２５３：２００６）でＡ５０〜Ａ９０、好ましくはＡ６５〜Ａ８５である。硬さがＡ５０未満のときは、この脚を介して荷重を受ける床のたわみが大きく床の平坦度を維持できないこととなり、床の平坦度を維持する観点からＡ６５以上がより好ましい。一方、硬さがＡ９０を超えると床の防音性が劣り、防音性を維持する観点からＡ８５以下がより好ましい。
【００１９】
脚の高さは、際根太の厚さから桟木の厚さを引いた寸法となり、たとえば際根太の厚さＨ１＝５０ｍｍ、桟木の厚さＨ２＝２４ｍｍの場合は、脚の高さＨ３＝２６ｍｍとなる。脚の形状は任意であり、円形や四角形その他の断面形状の柱形状または切頭錐形状とすることができる。その側面に環状などの凹みが一または複数設けられたものであっても良い。
【実施例】
【００２０】
本発明の一実施例による床下地構造について、図１ないし図６を参照して以下に詳述する。
【００２１】
図１ないし図４に示すように、この床下地構造は、住宅の床において大引き２の上に敷設された厚物合板１（２４ｍｍ厚）の上に設けられ、その上に床板３が敷設される。符号５は幅木を示す。
【００２２】
床下地構造は、厚物合板１と部屋の壁４とがなす隅の四周に沿って設けられる際根太１１と、床板３の長手方向と一致する方向に延長する際根太１１に対して直交する方向に延長するように該際根太１１に連結される複数の桟木１２とを有する。桟木１２の下面には軟質材で形成された脚（ゴム脚）１３が長手方向に一定間隔をおいて設けられ、このゴム脚１３を介して桟木１２を床基盤である厚物合板１上に支持している。床板３はこれら際根太１１および桟木１２の上にフロアネイル２０（図１０）などで固着して敷設される。
【００２３】
際根太１１は、図５に示すように、横断面略矩形の棒状部材である。この実施例における際根太１１の材質はＬＶＬであり、その大きさは、長さＬ１＝１７７７ｍｍ、幅Ｄ１＝５０ｍｍ、厚さＨ１＝５０ｍｍである。際根太の一方の側面（設置状態で内側面となる側面）に開口する雌実１１１が長手方向全長に亘って設けられている。
【００２４】
桟木１２は、図６に示すように、その長手方向一端に雄実１２１が設けられると共に他端に該雄実１２１を嵌合可能な形状の雌実１２２が設けられたＬＶＬからなる角棒状の部材であり、この実施例では、長さＬ２＝９１０ｍｍ、幅Ｄ２＝５０ｍｍ、厚さＨ２＝２４ｍｍである。桟木１２の下面には所定ピッチＰ２＝３０３ｍｍで３箇所に穴１２３が設けられている。これらの穴１２３にはゴム脚１３の上端突起１３１（図３）が挿入される。このとき、穴１２３の内部にあらかじめ適量の接着剤を注入しておくと良い。この接着剤としては、シリコン系シーリング剤、アクリル樹脂系接着剤、ゴム系接着剤、ウレタン樹脂系接着剤、エチレン酢酸ビニル樹脂系接着剤などが適している。桟木１２の雄実１２１が形成された側の先端部の寸法Ｑは、該寸法Ｑ＋際根太１１の幅寸法Ｄ１＜床板３の幅寸法（＝３０３ｍｍ）となるように定められ、たとえば際根太の幅寸法Ｄ１＝５０ｍｍ、床板３の幅寸法＝３０３ｍｍのときは、Ｑ＝２００ｍｍとする。
【００２５】
この実施例におけるゴム脚１３は、図３に示すように、直径４０ｍｍ、上端突起１３１を除いた高さＨ３＝２６ｍｍの円柱形であり、その側面に環状の凹み１３２を有している。環状の凹み１３２は、高さ８．５ｍｍ、深さ５．５ｍｍのコの字形をゴム脚１３の縦軸を中心に回転させて得られる形状である。ゴム脚１３は合成ゴムで形成され、その硬さはデュロメータ硬さ（ＪＩＳ  Ｋ６２５３：２００６）でＡ７５に相当する。
【００２６】
図３を参照して、図５に示す際根太１１は、その一側面（雌実１１１が形成されていない側面）をクッション材１４を介して壁面４ａに当接させた状態で厚物合板１上に載置する。クッション材１４は予め際根太１１の側面に貼着させておいても良い。クッション材１４は連続して設けても間隔をおいて断続的に設けても良い。このようにクッション材１４を設けることで、際根太１１と壁面４ａとが直に接触することが回避され、防音性能を向上させることができる。クッション材１４の材質は任意であり、たとえばポリオレフィン樹脂、ウレタン樹脂、アクリル樹脂などの発泡体、ネオプレンゴム、ブチルゴムなどの発泡体を使用することができる。このようにして際根太１１を配置すると、他側面に設けられた雌実１１１が室内側に開口する。この雌実１１１に桟木１２の長手方向一端の雄実１２１を嵌合させることにより、桟木１２が際根太１１と連結される。桟木１２は、その下面の穴１２３に上端突起１３１を挿入することによって取り付けられたゴム脚１３を介して厚物合板１上に支持される。かかる取付状態におけるゴム脚１３の高さＨ３は、際根太の厚さＨ１＝５０ｍｍと桟木１２の厚さＨ２＝２４ｍｍとの差に等しく、したがって上述のようにＨ３＝２６ｍｍである。言い換えれば、際根太１１の厚さは、桟木１２の厚さとゴム脚１３の高さを加えた寸法と等しいこととなる。
【００２７】
桟木１２の長手方向他端には、雄実１２１を嵌合可能な形状（したがって際根太１１の内側面に設けられる雌実１１１と略同一形状）の雌実１２２が形成されているので、これら雄実１２１と雌実１２２との嵌合を介して長手方向に複数連結して延長させることができる（図２参照）。
【００２８】
このようにして適宜延長された後、桟木１２は、図３と反対側の壁面４ａ近くに設けられた際根太１１に対しては、実結合ではなく、その木口を際根太の内側面に突き合わせ、あるいは若干の隙間１６を残した状態で施工される（図４）。この場合、桟木１２の突き合わせ側端部と厚物合板１との間にスペーサ１５を配して桟木１２を安定的に支持することが好ましい。なお、桟木１２の該端部は寸法調整のために切断されているので、雌実１２２は存在していない。また、図４において、際根太１１の内側面には雌実１１１が設けられているが、この雌実１１１は壁面４ａにクッション材１４を介して当接するので、桟木１２の雄実１２１を嵌合するものとしては用いられない。
【００２９】
次に、図７〜図１０を参照して、この床下地構造の施工方法について説明する。この床下地構造は、下記説明から理解されるように、簡易施工ができる利点がある。
【００３０】
まず、図７に示すように、この床下地構造を設ける部屋の下地を調整しておく。すなわち、大引き２などの上に敷設した２４ｍｍ厚の厚物合板１（東京合板工業組合、東北合板工業組合の「ネダノン」（商標）など）に墨出し６を行う。
【００３１】
その後、図８に示すように、際根太１１を壁面４ａとの間にそれぞれ３ｍｍの隙間をあけ、長さ７５ｍｍ以上のビス１７で厚物合板１に固定する。
【００３２】
そして、図９に示すように、桟木１２の長手方向一端の雄実１２１を際根太１１の内側面に開口する雌実１１１に差し込み、ビス１８で実部分を固定する。吸音材を用いる場合は、桟木１２の間に吸音材１９を敷き詰める。吸音材１９はある程度の硬さを持った材質であることが好ましく、たとえばポリスチレンフォーム、ポリエチレンフォーム、フェノールフォーム、硬質ウレタンフォームなどであり、密度はたとえば２０ｋｇ／ｍ３以上である。吸音材１９の厚さについては、ゴム脚１３が嵌入された桟木１２の高さよりも薄く吸音材１９を敷き詰めて、吸音材１９表面と床板３裏面との間に隙間が形成されるようにすることが好ましい。前述のようにある程度の硬さを有する吸音材１９を用いる場合、吸音効果だけでなく、床上を歩行した際に生ずる床板３の沈み込みを支持して、それ以上の沈み込みを防止する効果も発揮するので、たとえば床板３の沈み込み量を最大２ｍｍと仮定して、これよりも若干小さい隙間を吸音材１９表面と床板３裏面との間に与えておくことにより、それ以上の沈み込みを防止することができる。
【００３３】
次いで、図１０に示すように、際根太１１および桟木１２の表面に接着剤（図示せず）を塗布し、この上に床板３を壁面４ａから３ｍｍの隙間をあけて（これにより床板３の外縦縁が際根太１１の外縁に一致する）載置し、フロアネイルまたはステープルなどの固着具２０で固定する。次に、桟木１２を雄実１２１と雌実１２２との嵌合を介して長手方向に連結し、該実嵌合部に長さ２５ｍｍ程度のビス２１を打ち込んで固定する。このようにして連結していき、雄実１２１を差し込んでビス１８で固定した際根太１１１に対向する際根太１１１との間に３〜５ｍｍ程度の隙間１６（図４）があくように端部をカットする。
【００３４】
そして、図１に示すように床板３を床下地構造１０の全体に施工した後、幅木５を取り付け、接着剤が乾くまで養生する。このようにして、床が完成する。
【００３５】
図１１は、本発明の床下地構造１０に用いる際根太についての別の構成例を示す。この際根太２２は、図５に示す際根太１１と略同様の断面形状を有する（図１１（ｃ））が、図５の際根太１１は単一の角棒材を加工して実１１１を形成しているのに対し、この際根太２２は角棒材２２１の片側上端を高さＨ５＝２５ｍｍの高さ位置で切り欠いて段部２２２を長手方向全長に亘って形成し、この角棒材２２１上に同一幅および同一長さの板材２２３を貼着して段部２２２上に突出する該板材の突出端と段部２２２との間に、桟木１２の雄実１２１を受け入れるための嵌合用凹部を形成している。この実施例の際根太２２の大きさは、長さＬ３＝１８１８ｍｍ、幅Ｄ３＝５０ｍｍ、高さＨ４＝５０ｍｍ（＝ゴム脚１３が嵌入された桟木１２の高さ（Ｈ２＋Ｈ３））である。角棒材２２１の材質はＬＶＬであり、板材２２３の材質は合板である。
【００３６】
図１２（ａ）〜（ｃ）は、本発明の床下地構造１０に用いる際根太についてのさらに別の構成例を示す。この際根太２３は、図１１に示す際根太２２と同様に、角棒材２３１の片側上端を高さＨ７＝２５ｍｍの高さ位置で切り欠いて段部２３２を長手方向全長に亘って形成し、この角棒材２３１上に同一長さの板材２３３を貼着して段部２３２上に突出する該板材の突出端と段部２３２との間に、桟木１２を連結するための凹部を形成している。この凹部の高さ寸法は桟木１２の板厚と略同一に形成することができ、桟木１２１の雄実１２１側端部は段部２３２上に安定して載置されると共に該凹部に嵌合される。この実施例の際根太２３の大きさは、長さＬ４＝１８１８ｍｍ、幅Ｄ４＝７５ｍｍ、高さＨ６＝５０ｍｍ（＝ゴム脚１３が嵌入された桟木１２の高さ（Ｈ２＋Ｈ３））である。角棒材２３１の材質はＬＶＬであり、板材２３３の材質は合板である。
【００３７】
図１２（ｄ）〜（ｆ）は際根太における嵌合用凹部の形成手法についての変形例を示す。際根太は単一の棒状部材であっても良いが、平板状部材と棒状部材とを組み合せて接合して形成すると、角棒材２３１の内側上端部を切り欠く加工手間を省いて段部２３２および嵌合用凹部を形成することができるので好ましい。たとえば、図１２（ｃ）における角棒材２３１を板材２３１ａと棒材２３１ｂとを組み合せたものとすることができる（図１２（ｂ））。また、図１２（ｅ）は段部２３２および桟木１２の雄実１２１を受け入れるための雌実２３４を有する際根太を単一の棒状部材の切り欠き加工により形成した例であるが、図１２（ｆ）に示すように幅広の板材２３１ｃと棒材２３１ｄとを組み合せて接合したものを用いることにより、棒材２３１ｄに雌実２３４を形成するだけで板材２３１ｃ上に自動的に段差２３２を形成することができる。
【００３８】
図１３は、図１２（ｅ）の際根太２３を用いた床下地構造１０の一例を示す。この例では、段部２３２および嵌合用凹部が内側を向くようにして２本の際根太２３，２３を用い、１本をクッション材１４を介して壁面４ａに接するように厚物合板１上に設けると共に、もう１本の際根太２３を所定間隔を置いて平行に設けている。際根太２３，２３の間隔は、この床下地構造１０の上に敷設する床板３の幅寸法や、壁面４ａに接して設置される家具等の重量物の奥行寸法などに応じて適宜に設定することができる。その他の構成については図３に示す床下地構造１０と基本的に同一であるので、詳細説明は省略する。
【００３９】
図１４は、図１２（ｅ）の際根太２３を用いた床下地構造１０の他例を示す。この例では、段部２３２および嵌合用凹部が内側を向くようにして３本の際根太２３，２３’，２３’を用い、際根太２３’をクッション材１４を介して壁面４ａに接するように厚物合板１上に設け、これとの間に所定間隔を置いて平行に際根太２３’，２３を設けている。これら際根太２３同士の間隔は、この床下地構造１０の上に敷設する床板３の幅寸法や、壁面４ａに接して設置される家具等の重量物の奥行寸法などに応じて適宜に設定することができる。図示の例では中央の際根太２３’上で床板３，３が実結合により連接されるようにしている。なお、図示の例では壁面４ａ側の２本の際根太２３’，２３’については段部２３２および嵌合用凹部の部分を切除して断面方形状として用いているが、このような切除をせずに図１２（ｅ）の形状のままの際根太２３として用いても良い。その他の構成については図３，図１３に示す床下地構造１０と基本的に同一であるので、詳細説明は省略する。
【００４０】
本発明の床下地構造を使用した床の防音性能を検証するため、図１〜図６の構成の床下地構造１０（ただし吸音材１９は使用せず）を用いた床（以下「本構造床」という。）と、厚物合板２４ｍｍの上に床板１２ｍｍを敷設した床（以下「比較対象床」という。）との防音性能比較試験を行った。
【００４１】
軽量衝撃音の測定は、ＪＩＳ  Ａ １４１８−１に従い、５００ｇハンマー（直径３０ｍｍの円筒形）を４ｃｍ高さから自由落下させて音の減衰量を測定した。このときの音は、生活騒音で言えば、スプーン落下、いすを引く音、スリッパのパタパタ音、掃除機で床をこする音などに相当するものである。
【００４２】
この結果、５００Ｈｚの測定値は、本構造床ではＬＬ−７２、比較対象床ではＬＬ−８１であった。したがって、本構造床を採用したことにより８．０ｄＢの改善が見られた。なお、本構造床においてさらに吸音材１９を敷き詰めて同様に試験したところ、さらに３ｄＢ（５００Ｈｚ）程度の改善が見られた。
【００４３】
また、重量衝撃音の測定は、ＪＩＳ  Ａ １４１８−２に従い、軽自動車のタイヤ（重さ７．３ｋｇ、空気圧２．４ｋｇ／ｃｍ２）を８５ｃｍ高さから自由落下させて６３Ｈｚ音の減衰量を測定した。このときの音は、生活騒音で言えば、子供が飛び跳ねたときの音（ドスン、ドスン）に相当するものである。
【００４４】
この結果、６３Ｈｚの測定値は、本構造床ではＬＨ−６９、比較対象床ではＬＨ−７５であった。したがって、本構造床を採用したことにより５．６ｄＢの改善が見られた。なお、本構造床においてさらに吸音材１９を敷き詰めて同様に試験したが、重量床衝撃音については吸音材を用いても有意な改善は見られなかった。
【００４５】
以上より、本構造床によれば比較対象床に比べて軽量衝撃音、重量衝撃音のいずれにおいても顕著な改善が見られ、生活騒音の階下への伝搬を効果的に防止することができるものであることが実証された。
【００４６】
次に、本発明の床下地構造を使用した床について床たわみ性試験を行った。人間が片足で立ったときを想定して８０ｋｇ荷重を床上に置いた載荷板（直径５０ｍｍ）にかけた。載荷板の設置位置は桟木と桟木の間の中央とした。荷重をかける前の床板が荷重をかけることによってたわむ変形量（変位）を、床板３の裏面に設置した１／１００ｍｍダイヤルゲージで測定した。
【００４７】
たわみ変形量は４．１８ｍｍであったが、部屋の床面全体から判断するとほとんど目立たないものであり、本構造床によれば、重量物を載置した場合でも床のたわみ変形を十分に抑制できることが実証された。
【図面の簡単な説明】
【００４８】
【図１】本発明の一実施例による床下地構造を床板と共に示す斜視図である。
【図２】この床下地構造を大部分の床板を取り除いた状態で示す斜視図である。
【図３】図２におけるＡ−Ａ断面図である。
【図４】図３とは反対側の壁面近くの断面図である。
【図５】この床下地構造に用いる棒状の際根太を示す平面図（ａ）、正面図（ｂ）および右側面図（ｃ）である。
【図６】この床下地構造に用いる桟木を示す断面図（ａ）および下面図（ｂ）である。
【図７】この床下地構造の施工方法の説明図である。
【図８】同施工方法の説明図である。
【図９】同施工方法の説明図である。
【図１０】同施工方法の説明図である。
【図１１】この床下地構造に用いる棒状際根太の別構成例を示す平面図（ａ）、正面図（ｂ）および右側面図（ｃ）である。
【図１２】この床下地構造に用いる棒状際根太のさらに別の構成例を示す平面図（ａ）、正面図（ｂ）および右側面図（ｃ）である。同図（ｄ）〜（ｆ）は棒状際根太における変形例を示す同図（ｃ）と同様の右側面図である。
【図１３】図１２（ｅ）の際根太を用いた床下地構造の一例を示す図３と同様の断面図である。
【図１４】同際根太を用いた床下地構造の他の例を示す図３と同様の断面図である。
【符号の説明】
【００４９】
１  厚物合板（基盤）
２  大引き
３  床板
４  壁
５  幅木
１１  際根太
１１１  雌実（実）
１２  桟木
１２１  雄実（実）
１２２  雌実
１２３  穴
１３  ゴム脚（弾性を有する脚）
１３１  上端突起
１３２  環状の凹み
１４  クッション材
１５  スペーサ
１６  隙間
１７  ビス
１８  ビス
１９  吸音材
２０  フロアネイル
２１  ビス
２２  際根太
２２１  角棒材
２２２  段部
２２３  板材
２３  際根太
２３１  角棒材
２３２  段部
２３３  板材
２３４  雌実
【図１】
0005543087.tif 000002
【図２】
0005543087.tif 000003
【図３】
0005543087.tif 000004
【図４】
0005543087.tif 000005
【図５】
0005543087.tif 000006
【図６】
0005543087.tif 000007
【図７】
0005543087.tif 000008
【図８】
0005543087.tif 000009
【図９】
0005543087.tif 000010
【図１０】
0005543087.tif 000011
【図１１】
0005543087.tif 000012
【図１２】
0005543087.tif 000013
【図１３】
0005543087.tif 000014
【図１４】
0005543087.tif 000015